(57)【要約】【課題】大型のコンテナや収納箱にあっては、不使用時には場所を取り、又、輸送にコストがかかるため、それを軽減するために折畳式とし、その操作を容易に早く出来るようにした。【解決手段】従来の折畳式のものは、高さを低くするために取り外すなどに手間がかかっていた。本考案は、高さより横面積を減縮するものであり、そのままの状態で折畳できる。１．天板Ａを後方に押すと、丁番機能により２枚折で後上方に固定される。２．スライド枠Ｂを後上面より前方向に２７０度回転させると、押上棒Ｊも１５０度過位に連動し、底板を持ち上げ、底板押さえバネにより固定させる。３．左右の側板Ｅ，Ｆは前板を後方に押すことにより丁番機能ににより、内に折れながら、キャスターＧで後方へ移動する。４．フックＩにより天板Ａ，前板Ｂを引掛け固定。組み立てはこの順序を逆に行なう。【選択図】第３図【実用新案登録請求の範囲】
【請求項１】
本考案は、それぞれに丁番機能を有した６枚の板（ワイヤー板、パンチング板、メッシュ板も有り）と，１枚のスライド枠と、それに連結された押上棒で構成される。
【請求項２】
本考案は、締結金具や工具を用いず堅牢で丈夫、折畳組み立て時に前板下部のキャスターで、全ての動作は４動作で、すばやく（１５秒位）安全に小力で安易に折畳できる。
【請求項３】
立型折畳なので接地面が少ない。又、底板が折畳時にはスライド枠と同時に収納できる。
【考案の詳細な説明】
【産業上の利用分野】
【０００１】本考案は、主に地域ゴミ収集の大型ゴミ箱として利用でき、不使用時にこの考案がいかせるもの。天板を後方に押すと２枚折になり固定される。前板を後方に移動すると、側板Ａ，Ｂが内側に折れ、立方体が平面になり容積が格段に減縮し戸外の敷地の狭い所でも設置出来、収集日以外は人や車の交通の妨げにならない。又、輸送用のコンテナとしてかさばる物や不定型物の収納として役立つ。２段重ねも出来る。
【背景技術】
【０００２】従来のごみ箱や大型コンテナは折畳式の物があってもそれぞれに分解して取り外していて作業が複雑で効率が悪い為利用しにくい。
【考案が解決しようとする課題】
【０００４】本来、大型構造箱にあっては容積分だけ大きく輸送面や作業面でコストが多くかかっていた。又、遠方地に梱包輸送ができず、単体にばらし梱包していた。又、従来の折畳式は、上下の高さを低くして容積を小さくするもので接地面積は小さくならない。
【課題を解決するための手段】
【０００５】本考案は工場で製造した形のまま現地で容易に組み立てできるもので、それぞれの板が丁番の役目を有しているので、ボルト、ナット、締結金具を使わずに組み立てできる。又、工具も不要である。折れ曲がり天板を後方にスライドさせロックする。スライド枠を上方に持ち上げ前板の前に接触させると同時に、底板は下方より上方に持ち上げられる。後板に接触させロックする。左右側板を両側より内側に少し入れ、スライド枠前板を後方に押し、移動しフックによりロックする。これにより立方体が平面体状になり、設置、輸送、作業コスト面で効率が良くなる。
【実地例】
【０００６】本考案を図面に基ずいて説明する。図１は、組み立て後の立体斜視図である。図２は、折畳過程の斜視図である。第３図は、折畳過程図である。（底板を９０度後方に回し、スライド枠を持ち上げた図）この折畳順を説明する。１．天板Ａを前方よりスライドさせながら後方へ取っ手の部分を押し、後板Ｈ上部のスライドレール上に移動させる。この部分に天板Ａのストップ止めＫがある。２．スライド枠Ｂを上部より前方方向へ２７０度回転させる。底板押上棒  ＯＢによって底板Ｃが後方に９０度回転しながら持ち上がる。これは、スライド枠Ｂと底板押上棒ＯＢがカムによって連結しているからである。３．前方の前板Ｄを後方に押すと左右の側板ＥＦは前板Ｄと丁番機構により同時に後方へ移動する。その際、前板Ｄ下部のキャスターＧにより、小さな力でスムーズに後方へ移動できる。４．後板Ｈの両側に設置したフック１で前板Ｄ及びスライド枠Ｂを引き掛け固定させる全体が薄くなり、倒れないように後板Ｈの下部、足にアンカー板を設けた。アンカーにより固定することもできる。
【記号説明】
Ａ  天板          Ｆ  左側板          ア  丁番Ｂ  スライド枠    Ｇ  キャスター      イ  底板押さえバネＣ  底板          Ｈ  後板            ウ  ローラーＤ  前板          １  フック          エ  取っ手Ｅ  右側板        Ｊ  押上棒          オ  カム
【本考案の効果】
【０００７】１．立体型の収集箱に比べて容積が格段に少なくなるので、未使用時には大きな物でも場所を取らず、スペースを有効に使える。２．立型なので接地面積が少なくなる。３．組み立て、折畳が非常に簡単で早く、特別な技術や労力を要しない。４．機構が簡素な為、故障せず丈夫で耐久性がある。５．輸送時にばらける事なく安全に大量輸送できる。６．地域のゴミ収集箱として収集時以外は、折り畳んでおけば不要なゴミも入れられず便利である。
【図１】
0003106633.tif 000002
【図２】
0003106633.tif 000003
【図３】
0003106633.tif 000004
【手続補正書】
【提出日】平成15年11月13日(2003.11.13)
【手続補正１】
【補正対象書類名】明細書
【補正対象項目名】実用新案登録請求の範囲
【補正方法】変更
【補正の内容】
0003106633.tif 000005
0003106633.tif 000006
0003106633.tif 000007
0003106633.tif 000008
0003106633.tif 000009
0003106633.tif 000010
0003106633.tif 000011
【手続補正書】
【提出日】平成16年3月13日(2004.3.13)
【手続補正１】
【補正対象書類名】実用新案登録請求の範囲
【補正対象項目名】全文
【補正方法】変更
【補正の内容】
【実用新案登録請求の範囲】
【請求項１】
本考案は、二分割出来る天板Ａと、金網状若しくはエキスパンド状に加工された二枚の側板Ｅ，Ｆと、分割できないキャスタ−付底板Ｃ，前板Ｄ，後板Ｈ、の３枚の板と、スライド枠Ｂと連結している押上棒Ｊにより構成された金属製簡易折畳式収納箱。
【請求項２】
六枚の鉄板は、それぞれ丁番を介して連結しており、天板Ａ以外の五枚の板は、網状部分若しくはエキスパンド状部分以外の両端部を曲げて筒状にし、心棒を入れて丁番とした、請求項１．記載の金属製簡易折畳式収納箱。
【請求項３】
天板Ａが二分割するために、後方移動時にレ−ルの役目を有するスライド枠Ｂはカム、オ、と連結して、押上棒Ｊと係止し、スライド枠Ｂは天板下にあり、天板を二分割後２７０度前方回転すると押上棒Ｊは上の底板Ｃを押上げ、底板押さえバネ、イ、に接触し固定すると、前板Ｄの位置に戻る機構の、請求項１．記載の金属製簡易折畳式収納箱。
【手続補正２】
【補正対象書類名】明細書
【補正対象項目名】全文
【補正方法】変更
【補正の内容】
【考案の詳細な説明】
《産業上の利用分野》
【０００１】本考案は、主に地域ゴミ収集の大型ゴミ箱として利用でき、不使用時にこの考案がいかされるもの。天板を後方に押すと２枚折になり固定される。前板を後方に移動すると、側板Ａ，Ｂが内側に折れ、立方体が平面になり容積が格段に減縮し、戸外の敷地の狭い所でも設置でき、収集日以外は人や車の交通の妨げにならない。又、輸送用のコンテナとしてかさばる物や不定形物の収納として役立つ。２段重ねも出来る。
《背景技術》
【０００２】従来のごみ箱や大型コンテナは折畳式の物があってもそれぞれに分解して取り外していて作業が複雑で効率が悪いため利用しにくい。
《考案が解決しようとする課題》
【０００４】本来、大型構造箱にあっては容積分だけ大きく輸送面や作業面でコストが多くかかっていた。又、遠方地に梱包輸送ができず、単体をばらして梱包していた。又、従来の折畳式は、上下の高さを低くして容積を小さくするもので接地面積は小さくならない。
《課題を解決するための手段》
【０００５】本考案は工場で製造した形のまま現地で容易に組み立てできるもので、それぞれの板が丁番の役目を有しているので、ボルト、ナット、締結金具を使わずに組み立てできる。又、工具も不要である。折れ曲がり天板を後方にスライドさせロックする。スライド枠を上方に持ち上げ前板の前に接触させると同時に、底板は下方よりカム、オ、を介してスライド枠に連結した押上棒、Ｊ，により上方に持ち上げられる。後板に接触させ底板押さえバネにロックする。左右側板Ｅ，Ｆを両側より内側に少し入れ、前板を後方に押し、移動し、フック、Ｉ，によりロックする。これにより立方体が平面体状になり、上部より下部に折り畳むより、横型減縮なので接地面積が少なくなる。
《実地例》
【０００６】本考案を図面にもとずいて説明する。
第１図は、組み立て後の立体斜視図であり上部の天板を後方移動した立体図である。この状態で物を収納する。
第２図は、折畳過程後の固定フック，Ｉ，をかけた状態の正面図である。
第３図は、折畳過程中のスライド枠を前方に下げ、押上棒により底板が持ち上げられた状態の側面図である。
この折畳順を説明する。
１．天板Ａを前方よりスライドさせながら後方へ取っ手Ｉの部分を押し、後板Ｈ上部のスライドレ−ル上に移動させる。この部分に天板Ａのストップ止めＫがある。
２．スライド枠Ｂを上部より前方方向へ２７０度回転させる。底板押上棒Ｊによって底板Ｃが後方に９０度回転しながら持ち上がる。これは、スライド枠Ｂと底板押し上け棒Ｊがカムによって連結しているからである。
３．前方の前板Ｄを後方に押すと左右の側板Ｅ，Ｆは前板Ｄと丁番機構により同時に後方向へ移動する。その際、前板Ｄ下部のキャスタ−Ｇにより、小さな力でスム−ズに後方へ移動できる。
４．後板Ｈの両側に設置したフックＩで前板Ｄ及びスライド枠Ｂを引き掛け固定させる全体が薄くなり、倒れないように後板Ｈの下部、足にアンカ−板を設け、アンカ−により固定する。
《本考案の効果》
【０００７】１．立体型の収集箱に比べて容積が格段に少なくなるので、未使用時には大きな物でも場所を取らず、スペ−スを有効に使える。
２．立型なので接地面積が少なくなる。
３．組み立て、折畳が非常に簡単で早く、特別な技術や労力をようしない。
４．機構が簡素な為、故障せず丈夫で耐久性がある。
５．輸送時にばらける事なく安全に大量輸送できる。
６．地域のゴミ収集箱として、収集日以外は折り畳んでおけば、不要なゴミも入れられず便利
【図面の簡単な説明】
【０００８】
【図１】・収納箱の天板Ａを二つ折りに開けた状態の立体図である。
【図２】・収納箱を折り畳んだ状態の立体図である。
【図３】・収納箱をスライド枠Ｂに係止した押上棒Ｊが底板Ｃを押し上げてる状態の側面図である。
【符号の説明】
【０００９】      ・Ａ  天板          ・Ｆ  左側板        ・ア  丁番
・Ｂ  スライド枠    ・Ｇ  キャスタ−    ・イ  底板押さえバネ
・Ｃ  底板          ・Ｈ  後板          ・ウ  ロ−ラ−
・Ｄ  前板          ・Ｉ  フック        ・エ  取っ手
・Ｅ  右側板        ・Ｊ  押上棒        ・オ  カム